(57)【要約】【課題】データファイル内の所望の内容を確実に表示させる。【解決手段】情報表示装置１において、しおりテーマとして「全体会議」が指定されると、当該しおりテーマについてしおりの設定されているファイル名が一覧表示エリア２１に一覧表示され、各ファイル内での、「全体会議」についての各しおり設定位置Ｓが一覧表示エリア２１内に表示される（図（ａ））。また、各しおり設定位置Ｓ，…に対して、しおりテーマ「全体会議」内でのしおり番号「Ａ」〜「Ｊ」が付記されるとともに、一覧表示エリア２１における先頭のファイルの先頭の内容がプレビューエリア２２に表示される。そして、しおり番号の前後切替操作がされた場合には、切替前のしおり番号「Ａ」に対する前後のしおり番号「Ｂ」等が検出され、このしおり番号「Ｂ」等のしおり設定位置Ｓの内容がプレビューエリア２２に表示される（図（ｂ）〜（ｄ））。【選択図】図７
2008083435.tif 000002
【特許請求の範囲】
【請求項１】
複数のデータファイルを記憶するデータ記憶手段と、
前記データファイルの内容を表示するファイル内容表示手段と、
ユーザ操作に基づいて、各データファイルの表示内容中の何れかの位置をしおり設定位置とするしおり位置設定手段と、
各しおり設定位置を記憶するしおり位置記憶手段と、
各データファイル内でのしおりの設定位置一覧を表示するしおり設定位置一覧表示手段と、
ユーザ操作に基づいて、前記設定位置一覧から何れかのデータファイル，しおり設定位置を選択データファイル，選択しおり設定位置として選択するしおり選択手段と、
前記選択データファイル内での前記選択しおり設定位置の内容を表示するしおり内容表示手段と、
を備えることを特徴とする情報表示装置。
【請求項２】
請求項１記載の情報表示装置において、
前記しおり選択手段は、
ユーザ操作に基づいて、前記設定位置一覧から何れかのデータファイル，しおり設定位置を仮選択データファイル，仮選択しおり設定位置として仮選択する仮選択手段と、
ユーザ操作に基づいて、前記仮選択データファイル，前記仮選択しおり設定位置を前記選択データファイル，前記選択しおり設定位置として確定させる選択確定手段とを有し、
前記しおり設定位置一覧表示手段は、
前記仮選択データファイルでの前記仮選択しおり設定位置の内容を、前記設定位置一覧とは別領域に表示させるプレビュー表示手段を有することを備えることを特徴とする情報表示装置。
【請求項３】
請求項２記載の情報表示装置において、
前記仮選択手段は、
各しおり設定位置を、設定順に従って仮選択する仮選択順序制御手段を有することを特徴とする情報表示装置。
【請求項４】
請求項１〜３の何れか一項に記載の情報表示装置において、
前記しおり位置設定手段は、
しおりテーマを設定するしおりテーマ設定手段を有し、
前記しおり位置記憶手段は、
前記しおり設定位置と前記しおりテーマとを対応付けて記憶するしおりテーマ記憶手段を有し、
前記しおり設定位置一覧表示手段は、
ユーザ操作に基づいて、何れかの前記しおりテーマを選択するしおりテーマ選択手段と、
前記しおりテーマ選択手段によって選択された前記しおりテーマに対応するしおりについて、前記設定位置一覧を表示する選択テーマ内しおり設定位置一覧表示手段を有することを特徴とする情報表示装置。
【請求項５】
コンピュータに、
複数のデータファイルを記憶するデータ記憶機能と、
前記データファイルの内容を表示するファイル内容表示機能と、
ユーザ操作に基づいて、各データファイルの表示内容中の何れかの位置をしおり設定位置とするしおり位置設定機能と、
各しおり設定位置を記憶するしおり位置記憶機能と、
各データファイル内でのしおりの設定位置一覧を表示するしおり設定位置一覧表示機能と、
ユーザ操作に基づいて、前記設定位置一覧から何れかのデータファイル，しおり設定位置を選択データファイル，選択しおり設定位置として選択するしおり選択機能と、
前記選択データファイル内での前記選択しおり設定位置の内容を表示するしおり内容表示機能と、
を実現させることを特徴とする情報表示プログラム。
【発明の詳細な説明】
【技術分野】
【０００１】
本発明は、情報表示装置及び情報表示プログラムに関する。
【背景技術】
【０００２】
従来、テキストや画像などの情報を表示する情報表示装置においては、内部に記憶したデータファイルの一覧を表示した後、何れかのデータファイルがユーザに選択された場合には、そのデータファイルの内容を表示するようになっている。
【０００３】
更に、このような情報表示装置では、近年、データファイル内の任意の位置に対して、しおりと、しおり見出しとを設定しておき、設定されたしおり見出しを一覧表示した後、何れかのしおり見出しが選択された場合には、そのしおり位置の内容を即座に表示することが可能となっている（例えば、特許文献１参照）。
【特許文献１】特開２００１−１０１２０２号公報
【発明の開示】
【発明が解決しようとする課題】
【０００４】
しかしながら、上記特許文献１記載の情報表示装置では、データファイル内での各しおりの位置が把握できないため、しおり見出しの選択操作を複数回行わないと、データファイル内の所望の内容を表示させられない場合がある。
【０００５】
本発明の課題は、データファイル内の所望の内容を容易に表示させることのできる情報表示装置及び情報表示プログラムを提供することである。
【課題を解決するための手段】
【０００６】
請求項１記載の発明は、情報表示装置（例えば、図１の情報表示装置１）であって、
複数のデータファイル（例えば、図１のファイル４２）を記憶するデータ記憶手段（例えば、図１のフラッシュＲＯＭ４）と、
前記データファイルの内容を表示するファイル内容表示手段（例えば、図１の表示部２；図３のステップＳ４）と、
ユーザ操作に基づいて、各データファイルの表示内容中の何れかの位置をしおり設定位置とするしおり位置設定手段（例えば、図１の入力部３；図３のステップＳ７）と、
各しおり設定位置を記憶するしおり位置記憶手段（例えば、図１のしおり情報記憶テーブル４３；図３のステップＳ７）と、
各データファイル内でのしおりの設定位置一覧を表示するしおり設定位置一覧表示手段（例えば、図１の表示部２；図５のステップＴ６）と、
ユーザ操作に基づいて、前記設定位置一覧から何れかのデータファイル，しおり設定位置を選択データファイル，選択しおり設定位置として選択するしおり選択手段（例えば、図１の入力部３；図５のステップＴ１３）と、
前記選択データファイル内での前記選択しおり設定位置の内容を表示するしおり内容表示手段（例えば、図１の表示部２；図５のステップＴ１４）と、
を備えることを特徴とする。
【０００７】
ここで、データファイルは、テキストデータを格納しても良いし、画像データを格納しても良い。
【０００８】
請求項２記載の発明は、請求項１記載の情報表示装置において、
前記しおり選択手段は、
ユーザ操作に基づいて、前記設定位置一覧から何れかのデータファイル，しおり設定位置を仮選択データファイル，仮選択しおり設定位置として仮選択する仮選択手段（例えば、図１のカーソルキー３０ｃ；図５のステップＴ８）と、
ユーザ操作に基づいて、前記仮選択データファイル，前記仮選択しおり設定位置を前記選択データファイル，前記選択しおり設定位置として確定させる選択確定手段（例えば、図１の決定キー３０ｂ；図５のステップＴ１４）とを有し、
前記しおり設定位置一覧表示手段は、
前記仮選択データファイルでの前記仮選択しおり設定位置の内容を、前記設定位置一覧とは別領域に表示させるプレビュー表示手段（例えば、図１の表示部２；図５のステップＴ１０）を有することを備えることを特徴とする。
【０００９】
請求項３記載の発明は、請求項２記載の情報表示装置において、
前記仮選択手段は、
各しおり設定位置を、設定順に従って仮選択する仮選択順序制御手段（例えば、図１のＣＰＵ６及び情報表示プログラム４０；図６のステップＴ２５）を有することを特徴とする。
【００１０】
請求項４記載の発明は、請求項１〜３の何れか一項に記載の情報表示装置において、
前記しおり位置設定手段は、
しおりテーマを設定するしおりテーマ設定手段（例えば、図１の入力部３；図４のステップＳ１１）を有し、
前記しおり位置記憶手段は、
前記しおり設定位置と前記しおりテーマとを対応付けて記憶するしおりテーマ記憶手段（例えば、図１のしおり情報記憶テーブル４３；図４のステップＳ１７）を有し、
前記しおり設定位置一覧表示手段は、
ユーザ操作に基づいて、何れかの前記しおりテーマを選択するしおりテーマ選択手段（例えば、図１の入力部３；図５のステップＴ４）と、
前記しおりテーマ選択手段によって選択された前記しおりテーマに対応するしおりについて、前記設定位置一覧を表示する選択テーマ内しおり設定位置一覧表示手段（例えば、図１の表示部２；図６のステップＴ２１）を有することを特徴とする。
【００１１】
請求項５記載の発明は、情報表示プログラム（例えば、図１の情報表示プログラム）において、
コンピュータ（例えば、図１の情報表示装置１）に、
複数のデータファイルを記憶するデータ記憶機能と、
前記データファイルの内容を表示するファイル内容表示機能（例えば、図３のステップＳ４）と、
ユーザ操作に基づいて、各データファイルの表示内容中の何れかの位置をしおり設定位置とするしおり位置設定機能（例えば、図３のステップＳ７）と、
各しおり設定位置を記憶するしおり位置記憶機能（例えば、図３のステップＳ７）と、
各データファイル内でのしおりの設定位置一覧を表示するしおり設定位置一覧表示機能（例えば、図５のステップＴ６）と、
ユーザ操作に基づいて、前記設定位置一覧から何れかのデータファイル，しおり設定位置を選択データファイル，選択しおり設定位置として選択するしおり選択機能（例えば、図５のステップＴ１３）と、
前記選択データファイル内での前記選択しおり設定位置の内容を表示するしおり内容表示機能（例えば、図５のステップＴ１４）と、
を実現させることを特徴とする。
【発明の効果】
【００１２】
請求項１，５記載の発明によれば、各データファイル内でのしおりの設定位置一覧が表示され、この設定位置一覧から何れかのデータファイル，しおり設定位置が選択データファイル，選択しおり設定位置として選択されると、選択データファイルでの選択しおり設定位置の内容が表示されるので、データファイル内での各しおりの位置が把握できない従来の場合と比較して、データファイル内の所望の内容を容易に表示させることができる。
【００１３】
請求項２記載の発明によれば、仮選択データファイルでの仮選択しおり設定位置の内容が設定位置一覧とは別領域に表示されるので、この表示内容によってしおり設定位置の内容を把握することができる。従って、データファイル内の所望の内容を、より容易に表示させることができる。
【００１４】
請求項３記載の発明によれば、請求項２記載の発明と同様の効果を得ることができる。
【００１５】
請求項４記載の発明によれば、選択されたしおりテーマに対応するしおりについて設定位置一覧が表示されるので、しおりテーマによって設定位置一覧の内容を絞り込むことができる。従って、データファイル内の所望の内容を、より容易に表示させることができる。
【発明を実施するための最良の形態】
【００１６】
以下、本発明に係る情報表示装置について、図を参照しながら説明する。
［１．１  機能構成］
図１は、本発明に係る情報表示装置１の概略構成を示すブロック図である。
【００１７】
この図に示すように、情報表示装置１は、表示部２、入力部３、フラッシュＲＯＭ（Read Only Memory）４、ＲＡＭ（Random Access Memory）５及びＣＰＵ（Central Processing Unit）６等の機能部を備えており、各機能部はバス７で接続されている。
【００１８】
表示部２は、ディスプレイ２０を備えており、ＣＰＵ６からの信号に基づいて各種情報をディスプレイ２０に表示するようになっている。このディスプレイ２０は、例えばドットマトリクス液晶やＴＦＴ（Thin Film Transistor）液晶、ＰＤＰ（Plasma Display Panel）等で形成されている。
【００１９】
入力部３は、各種キー群３０を備えており、押下されたキーの信号をＣＰＵ６に出力するようになっている。このキー群３０は、文字キー３０ａや決定キー３０ｂ、カーソルキー３０ｃ、メニューキー３０ｄ、しおり設定キー３０ｅ等を有している。
【００２０】
ここで、文字キー３０ａは文字入力等に使用されるキーであり、決定キー３０ｂは各種処理の実行や、ファイルの決定等に使用されるキーである。また、カーソルキー３０ｃは画面内の反転表示位置、つまりカーソル位置の移動等に使用されるキーであり、本実施の形態においては上下左右の方向キーとなっている。
【００２１】
また、メニューキー３０ｄは、各種モード設定用のメニュー項目を表示させるとき等に使用されるキーである。また、しおり設定キー３０ｅは、後述のしおり設定処理（図３〜図４参照）において表示部２による表示位置にしおりを設定するとき等に使用されるキーである。
【００２２】
フラッシュＲＯＭ４は、情報表示装置１におけるメニュー表示処理や各種設定処理、各種演算処理等の動作に係るプログラムや、情報表示装置１の備える種々の機能を実現するためのプログラム等を格納しており、本実施の形態においては、本発明に係る情報表示プログラム４０と、複数のデータフォルダ４１，…と、しおり情報記憶テーブル４３とを記憶している。
【００２３】
情報表示プログラム４０は、後述のしおり設定処理（図３〜図４参照）及びしおり表示処理（図５〜図６参照）をＣＰＵ６に実行させるためのプログラムである。
【００２４】
各データフォルダ４１には、複数のデータファイル（以下、単にファイルとする）４２，…が格納されている。
【００２５】
これらファイル４２，…は、テキストや画像等の情報を、ファイル名に対応付けて記憶している。なお、本実施の形態においては、後述の図７に示すように、同一のデータフォルダ４１内のファイル４２，…のうち、或るファイル４２（以下、ファイル４２ａとする）のファイル名は「議題」となっており、また、或るファイル４２，…（以下、ファイル４２ｂ〜４２ｅとする）のファイル名は「資料１」〜「資料４」となっている。
【００２６】
しおり情報記憶テーブル４３は、図２に示すように、しおりの設定されたファイルのファイル名と、しおり設定位置と、しおりのテーマと、同一のしおりテーマ内でのしおり番号とを対応付けて記憶するようになっている。
【００２７】
ここで、本実施の形態においては、しおり設定位置として、ファイル４２の表示部分のページ番号及び行番号が用いられている。また、しおりのテーマとは、例えば「全体会議」や「プロジェクト会議」等、しおりの設定位置でのファイル内容に関連付けてユーザから設定されるテーマである。また、しおり番号とは、しおりの設定順序を示す番号であり、例えば、１番目に設定されたしおりのしおり番号は「１」、２番目に設定されたしおりのしおり番号は「２」になっている。
【００２８】
ＲＡＭ５は、ＣＰＵ６が実行する各種プログラムや、これらのプログラムの実行に係るデータ等を一時的に保持する随時書き込み可能なメモリである。
【００２９】
ＣＰＵ６は、入力される指示に応じて所定のプログラムに基づいた処理を実行し、各機能部への指示やデータの転送を行うようになっている。具体的には、ＣＰＵ６は、入力部３から入力される操作信号に応じて、フラッシュＲＯＭ４中のプログラムを読み出してＲＡＭ５に展開し、当該プログラムに従って処理を実行する。そして、ＣＰＵ６は、処理結果を表示するための表示制御信号を表示部２に適宜出力して、対応した情報を表示させる。
【００３０】
なお、以上のような情報表示装置１は、例えば電子ブックや電子辞書装置、携帯電話、パソコン等の電子機器に適用することができる。
【００３１】
［１．２  情報表示装置の動作］
続いて、情報表示装置１の動作について説明する。図３〜図６は、ＣＰＵ６がフラッシュＲＯＭ４から情報表示プログラム４０を読み出して実行するしおり設定処理，しおり表示処理の各動作を説明するためのフローチャートである。
【００３２】
［１．２．１  しおり設定処理］
まず、図３に示すように、メニューキー３０ｄ等の操作によってしおり設定処理の実行が指示されると、ＣＰＵ６は、しおりテーマの設定操作がされるか否かを判定する（ステップＳ１）。
【００３３】
このステップＳ１においてしおりテーマの設定操作がされないと判定した場合（ステップＳ１；Ｎｏ）には、ＣＰＵ６は、データフォルダ４１に格納されたファイル４２，…のファイル名をディスプレイ２０に一覧表示させるとともに（ステップＳ２）、ユーザにファイル４２の指定操作をさせ（ステップＳ３）、指定されたファイル４２の内容をディスプレイ２０に表示させる（ステップＳ４）。
【００３４】
次に、ユーザによってファイル４２の表示位置が変更されると（ステップＳ５）、ＣＰＵ６は、しおり設定キー３０ｅ等によってしおりの設定操作がされるか否かを判定し（ステップＳ６）、されたと判定した場合（ステップＳ６；Ｙｅｓ）には、指定のファイル４２の現在の表示位置に対してしおりを設定する（ステップＳ７）。具体的には、ＣＰＵ６は、ステップＳ３で指定されたファイル４２のファイル名と、当該ファイル４２での現在の表示位置とを対応付けて、しおり情報記憶テーブル４３に蓄積記憶させる。そして、しおりの設定が終了したら、ＣＰＵ６は、上述のステップＳ５の処理に移行する。
【００３５】
また、ステップＳ６においてしおりの設定操作がないと判定した場合（ステップＳ６；Ｎｏ）には、ＣＰＵ６は、指定するファイル４２の変更操作がされるか否かを判定し（ステップＳ８）、されないと判定した場合（ステップＳ８；Ｎｏ）には他の処理へ移行し、また、されたと判定した場合（ステップＳ８；Ｙｅｓ）には上述のステップＳ３の処理に移行する。
【００３６】
一方、上述のステップＳ１においてしおりテーマの設定操作がされたと判定した場合（ステップＳ１；Ｙｅｓ）には、図４に示すように、ＣＰＵ６は、ユーザにしおりテーマ名の入力操作をさせた後、（ステップＳ１１）、データフォルダ４１に格納されたファイル４２，…のファイル名をディスプレイ２０に一覧表示させるとともに（ステップＳ１２）、ユーザにファイル４２の指定操作をさせ（ステップＳ１３）、指定されたファイル４２の内容をディスプレイ２０に表示させる（ステップＳ１４）。
【００３７】
次に、ユーザによってファイル４２の表示位置が変更されると（ステップＳ１５）、ＣＰＵ６は、しおりの設定操作がされるか否かを判定し（ステップＳ１６）、されたと判定した場合（ステップＳ１６；Ｙｅｓ）には、指定のファイル４２の現在の表示位置に対してしおりを設定する（ステップＳ１７）。具体的には、ＣＰＵ６は、ステップＳ１３で指定されたファイル４２のファイル名と、当該ファイル４２での現在の表示位置と、ステップＳ１１で入力されたしおりテーマ名とを対応付けて、しおり情報記憶テーブル４３に蓄積記憶させる。
【００３８】
次に、ＣＰＵ６は、同一のしおりテーマに対するしおりの設定順に従って当該しおりのしおり番号を算出し、上記ステップＳ１７でしおり情報記憶テーブル４３に記憶させた情報に対応付けて当該しおり番号を記憶させた後（ステップＳ１８）、上述のステップＳ１５の処理に移行する。
【００３９】
また、ステップＳ１６においてしおりの設定操作がないと判定した場合（ステップＳ１６；Ｎｏ）には、ＣＰＵ６は、指定するファイル４２の変更操作がされるか否かを判定し（ステップＳ１９）、されないと判定した場合（ステップＳ１８；Ｎｏ）には他の処理へ移行し、されたと判定した場合（ステップＳ１９；Ｙｅｓ）には上述のステップＳ１３の処理に移行する。
【００４０】
［１．２．２  しおり表示処理］
まず、図５に示すように、メニューキー３０ｄ等の操作によってしおり表示処理の実行が指示された後、フラッシュＲＯＭ４に格納された何れかのデータフォルダ４１の指定操作がされるとともに（ステップＴ１）、しおり一覧表示の指示操作がされると（ステップＴ２）、ＣＰＵ６は、しおりテーマの設定があるか否か、つまり、しおり情報記憶テーブル４３にしおりテーマが記憶されているか否かを判定し（ステップＴ３）、設定がないと判定した場合（ステップＴ３；Ｎｏ）には、後述のステップＴ５の処理に移行する。
【００４１】
また、ステップＴ３においてしおりテーマの設定があると判定した場合（ステップＴ３；Ｙｅｓ）には、ＣＰＵ６は、しおり情報記憶テーブル４３に記憶されたしおりテーマの一覧をディスプレイ２０に表示させた後、何れかのしおりテーマが指定されるか否かを判定し（ステップＴ４）、指定されたと判定した場合（ステップＴ４；Ｙｅｓ）には、図６に示すように、しおり情報記憶テーブル４３内の情報に基づいて、指定のデータフォルダ４１に格納されたファイル４２，…のうち、指定のしおりテーマについてしおりの設定されているファイル４２，…のファイル名をディスプレイ２０の一覧表示エリア２１（図７参照）に一覧表示させる（ステップＴ２１）。
【００４２】
次に、ＣＰＵ６は、しおり情報記憶テーブル４３内の情報に基づいて、指定のしおりテーマに対応するしおりの設定位置一覧を、より詳細には、ファイル名一覧に表示された各ファイル４２，…内での、指定のしおりテーマについての各しおり設定位置Ｓ，…（図７参照）を、ディスプレイ２０の一覧表示エリア２１に表示させる（ステップＴ２２）。また、このときＣＰＵ６は、各しおり設定位置Ｓ，…に対して、指定のしおりテーマ内でのしおり番号を付記する。なお、本実施の形態においては、上記ステップＴ２２の処理において、ＣＰＵ６は、指定のしおりテーマについてしおりの設定されていないファイル４２については、一覧表示エリア２１にファイル名を表示させないようになっている。
【００４３】
次に、ＣＰＵ６は、一覧表示エリア２１において先頭のファイル名にカーソル２５ａ（図７参照）を配置し、そのファイル４２を選択ファイルとして設定した後、この選択ファイル４２の先頭の内容をディスプレイ２０のプレビューエリア２２（図７参照）に表示させる（ステップＴ２３）。
【００４４】
例えば、図７（ａ）に示すように、しおりテーマとして「全体会議」が指定された場合（ステップＴ４；Ｙｅｓ）には、当該しおりテーマ「全体会議」についてしおりの設定されているファイル４２ａ〜４２ｅのファイル名「議題」，「資料１」〜「資料４」が一覧表示エリア２１に一覧表示される（ステップＴ２１）。次に、これらファイル４２ａ〜４２ｅ内での、しおりテーマ「全体会議」についての各しおり設定位置Ｓ，…が一覧表示エリア２１内に表示される（ステップＴ２２）。次に、各しおり設定位置Ｓ，…に対して、しおりテーマ「全体会議」内でのしおり番号「Ａ」〜「Ｊ」が付記される。そして、一覧表示エリア２１において先頭のファイル名「議題」にカーソル２５ａが配置され、そのファイル４２ａの先頭の内容がプレビューエリア２２に表示される（ステップＴ２３）。ここで、図７においては、所定長さの枠２１０の左端が各ファイル４２ａ〜４２ｅの先頭部分を示しており、右端が最後尾部分を示している。
【００４５】
次に、ＣＰＵ６は、カーソルキー３０ｃ等によってしおり番号の前後切替操作がされるか否かを判定し（ステップＴ２４）、されたと判定した場合（ステップＴ２４；Ｙｅｓ）には、前後のしおり番号のしおり設定位置Ｓにカーソル２５ｂ（図７参照）を配置し、このしおり設定位置Ｓを選択しおり位置として設定する（ステップＴ２５）。より詳細には、カーソルキー３０ｃが操作される時点で既にカーソル２５ｂが何れかのしおり設定位置Ｓに配置されている場合には、ＣＰＵ６は、そのしおり番号の前後のしおり番号を検出し、検出されたしおり番号のしおり設定位置Ｓに選択しおり位置を切り替える。また、ＣＰＵ６は、選択しおり位置の切り替えに対応させて、選択しおり位置を有するファイル４２に選択ファイルを切り替える。
【００４６】
次に、ＣＰＵ６は、選択ファイル４２での選択しおり位置の内容をディスプレイ２０のプレビューエリア２２に表示させた後（ステップＴ２６）、上記ステップＴ２４の処理に移行する。
【００４７】
例えば、図７（ａ）に示した状態から、しおり番号の前後切替操作がされた場合（ステップＴ２４；Ｙｅｓ）には、図７（ｂ）〜（ｄ），図８（ａ）に示すように、切り替え前のしおり番号「Ａ」等に対する前後のしおり番号「Ｂ」，「Ｃ」，…のしおり設定位置Ｓにカーソル２５ｂが配置され、このしおり設定位置Ｓが選択しおり位置として設定された後（ステップＴ２５）、選択ファイル４２ａ〜４２ｅでの選択しおり位置の内容がプレビューエリア２２に表示される（ステップＴ２６）。
【００４８】
同様に、例えば、しおりテーマとして「プロジェクト会議」が指定された状態（ステップＴ４；Ｙｅｓ）から、しおり番号の前後切替操作がされた場合（ステップＴ２４；Ｙｅｓ）には、図８（ｂ）〜（ｃ）に示すように、切り替え前のしおり番号に対する前後のしおり番号が検出され、検出されたしおり番号のしおり設定位置Ｓにカーソル２５ｂが配置されるとともに、このしおり設定位置Ｓが選択しおり位置として設定された後（ステップＴ２５）、選択ファイル４２での選択しおり位置の内容がプレビューエリア２２に表示される（ステップＴ２６）。
【００４９】
また、このステップＴ２４においてしおり番号の前後切替操作がされないと判定した場合（ステップＴ２４；Ｎｏ）には、ＣＰＵ６は、決定キー３０ｂが操作されるか否かを判定し（ステップＴ２７）、操作されないと判定した場合（ステップＴ２７；Ｎｏ）には、他の処理へ移行し、また、操作されたと判定した場合（ステップＴ２７；Ｙｅｓ）には、プレビューエリア２２での表示内容をディスプレイ２０に全画面表示させた後（ステップＴ２８）、しおり表示処理を終了する。
【００５０】
一方、図５に示すように、上述のステップＴ４においてしおりテーマの指定がないと判定した場合（ステップＴ４；Ｎｏ）には、ＣＰＵ６は、指定のデータフォルダ４１に格納されたファイル４２，…のファイル名をディスプレイ２０の一覧表示エリア２１に一覧表示させる（ステップＴ５）。
【００５１】
次に、ＣＰＵ６は、しおり情報記憶テーブル４３内の情報に基づいて、しおりの設定位置一覧を、より詳細には、ファイル名一覧に表示された各ファイル４２，…内での各しおり設定位置Ｓ，…を、ディスプレイ２０の一覧表示エリア２１に表示させる（ステップＴ６）。
【００５２】
次に、ＣＰＵ６は、一覧表示エリア２１において先頭のファイル名にカーソル２５ａを配置し、そのファイル４２を選択ファイルとして設定した後、この選択ファイル４２の先頭の内容をディスプレイ２０のプレビューエリア２２に表示させる（ステップＴ７）。
【００５３】
次に、ＣＰＵ６は、カーソルキー３０ｃの左右キーが操作されるか否かを判定し（ステップＴ８）、操作されたと判定した場合（ステップＴ８；Ｙｅｓ）には、一覧表示エリア２１において選択ファイル４２での先頭位置に対し左右に位置するしおり設定位置Ｓ，…にカーソル２５ｂを配置し、このしおり設定位置Ｓを選択しおり位置として設定する（ステップＴ９）。ここで、左右キーが操作される時点で既にカーソル２５ｂが何れかのしおり設定位置Ｓに配置されている場合には、ＣＰＵ６は、当該カーソル２５ｂの位置に対して左右に位置するしおり設定位置Ｓに、選択しおり位置を切り替える。
【００５４】
次に、ＣＰＵ６は、選択ファイル４２での選択しおり位置の内容をディスプレイ２０のプレビューエリア２２に表示させた後（ステップＴ１０）、上記ステップＴ８の処理に移行する。
【００５５】
また、上記のステップＴ８において左右キーが操作されないと判定した場合（ステップＴ８；Ｎｏ）には、ＣＰＵ６は、カーソルキー３０ｃの上下キーが操作されるか否かを判定し（ステップＴ１１）、操作されたと判定した場合（ステップＴ１１；Ｙｅｓ）には、一覧表示エリア２１において選択ファイル４２に対し上下に位置するファイル名にカーソル２５ａを配置し、このファイル名のファイル４２に選択ファイルを切り替えるとともに、切り替え後の選択ファイル４２での先頭のしおり設定位置Ｓにカーソル２５ｂを配置し、このしおり設定位置Ｓを選択しおり位置として設定した後（ステップＴ１２）、上記ステップＴ１０の処理に移行する。
【００５６】
また、ステップＴ１１において上下キーが操作されないと判定した場合（ステップＴ１１；Ｎｏ）には、ＣＰＵ６は、決定キー３０ｂが操作されるか否かを判定し（ステップＴ１３）、操作されないと判定した場合（ステップＴ１３；Ｎｏ）には他の処理へ移行し、また、操作されたと判定した場合（ステップＴ１３；Ｙｅｓ）には、プレビューエリア２２での表示内容をディスプレイ２０に全画面表示させた後（ステップＴ１４）、しおり表示処理を終了する。
【００５７】
以上説明したように、本発明に係る情報表示装置１によれば、図５のステップＴ６や図６のステップＳ２２，図７〜図８に示したように、各ファイル４２，…内でのしおりの設定位置一覧が一覧表示エリア２１に表示され、この設定位置一覧から何れかのファイル４２及びしおり設定位置Ｓが選択されると、選択ファイル４２での選択しおり位置の内容が全画面表示されるので、ファイル４２内での各しおりの位置が把握できない従来の場合と比較して、ファイル４２，…内の所望の内容を容易に表示させることができる。
【００５８】
また、図５のステップＴ１０や図６のステップＴ２６，図７〜図８に示したように、選択ファイル４２での選択しおり位置の内容が一覧表示エリア２１とは別領域のプレビューエリア２２に表示されるので、この表示内容によってしおり設定位置Ｓの内容を把握することができる。従って、ファイル４２，…内の所望の内容を、より容易に表示させることができる。
【００５９】
また、図６のステップＴ２１〜Ｔ２２，図７〜図８に示したように、選択されたしおりテーマに対応するしおりについて設定位置一覧が表示されるので、しおりテーマによって設定位置一覧の内容を絞り込むことができる。従って、ファイル４２，…内の所望の内容を、より容易に表示させることができる。
【００６０】
尚、本発明を適用可能な実施形態は、上述した実施形態に限定されることなく、本発明の趣旨を逸脱しない範囲で適宜変更可能である。
【００６１】
例えば、情報表示装置１はフラッシュＲＯＭ４内にデータフォルダ４１やファイル４２を格納することとして説明したが、これらデータフォルダ４１やファイル４２はインターフェース等を介して外部から取込可能としても良い。
【００６２】
また、しおり設定位置Ｓ及びしおり番号を図７，図８の態様で表示することとして説明したが、例えば図９の態様で表示することとしても良い。ここで、図９では、「ebook1.txt」〜「ebook6.txt」のファイル名には「Ａ」〜「Ｆ」のファイル番号が付されており、各ファイル名で表されるファイル４２には「１」，「２」等のしおり番号のしおりが設定されている。そして、これらのしおりは、カーソルキー３０ｃでも選択可能である他、文字キー３０ｃの「Ａ」〜「Ｆ」キー及び数字キーでも選択可能となっている。
【図面の簡単な説明】
【００６３】
【図１】本発明に係る情報表示装置の概略構成を示すブロック図である。
【図２】しおり情報記憶テーブルのデータ構造を示す図である。
【図３】しおり設定処理を示すフローチャートである。
【図４】しおり設定処理を示すフローチャートである。
【図５】しおり表示処理を示すフローチャートである。
【図６】しおり表示処理を示すフローチャートである。
【図７】ディスプレイの表示内容を示す図である。
【図８】ディスプレイの表示内容を示す図である。
【図９】ディスプレイの表示内容を示す図である。
【符号の説明】
【００６４】
１      情報表示装置
２      表示部（ファイル内容表示手段、しおり設定位置一覧表示手段、
しおり内容表示手段、プレビュー表示手段、
選択テーマ内しおり設定位置一覧表示手段）
３      入力部（しおり位置設定手段、しおり選択手段、しおりテーマ設定手段、
しおりテーマ選択手段）
４      フラッシュＲＯＭ（データ記憶手段）
６      ＣＰＵ（仮選択順序制御手段、
３０ｂ  決定キー（選択確定手段）
３０ｃ  カーソルキー（仮選択手段）
４０    情報表示プログラム
４２    ファイル（データファイル）
４３    しおり情報記憶テーブル（しおり位置記憶手段、しおりテーマ記憶手段）
Ｓ      しおり設定位置
【図１】
2008083435.tif 000003
【図２】
2008083435.tif 000004
【図３】
2008083435.tif 000005
【図４】
2008083435.tif 000006
【図５】
2008083435.tif 000007
【図６】
2008083435.tif 000008
【図７】
2008083435.tif 000009
【図８】
2008083435.tif 000010
【図９】
2008083435.tif 000011